(57)【特許請求の範囲】
【請求項１】
複数の光源（２１、２２、２３、２４）、および各々の前記光源により照明される複数の表示部（Ａ１、Ａ２、Ａ３、Ａ４）を有する表示装置（１０）を検査対象とする照明検査装置において、
各々の前記表示部について、照明輝度が適正範囲内であるか否かを判定する輝度判定手段（Ｓ２０）と、
各々の前記照明輝度の互いのバランスが適正であるか否かを判定するバランス判定手段（Ｓ４０、Ｓ５０、Ｓ６０）と、
を備え、
複数の前記表示部のうち、同一カテゴリの表示内容を表示する表示部どうしでは前記適正範囲は同じ範囲に設定され、異なるカテゴリの表示内容を表示する表示部どうしでは前記適正範囲は異なる範囲に設定され、
前記バランス判定手段は、前記照明輝度の測定値（Ｄ１、Ｄ２、Ｄ３、Ｄ４）を補正し、補正後の測定値（Ｄ１ｃ、Ｄ２ｃ、Ｄ３ｃ、Ｄ４ｃ）のばらつきが許容未満である場合に、前記バランスが適正であると判定し、
さらに前記バランス判定手段は、前記適正範囲の中央値が高輝度に設定されている測定値に対しては前記補正の量を大きく設定して、前記測定値を小さくするように補正することで、前記補正の量を、前記適正範囲に応じて異なる量に設定することを特徴とする照明検査装置。
【請求項２】
前記バランス判定手段は、複数の前記補正後の測定値のうち最大値と最小値の差が所定値未満である場合に、前記バランスが適正であると判定することを特徴とする請求項１に記載の照明検査装置。
【請求項３】
複数の光源（２１、２２、２３、２４）、および各々の前記光源により照明される複数の表示部（Ａ１、Ａ２、Ａ３、Ａ４）を有する表示装置（１０）を検査対象とする照明検査装置において、
各々の前記表示部について、照明輝度が適正範囲内であるか否かを判定する輝度判定手段（Ｓ２０）と、
各々の前記照明輝度の互いのバランスが適正であるか否かを判定するバランス判定手段（Ｓ６１、Ｓ６２）と、
を備え、
各々の前記照明輝度の目標値に対する偏差を輝度偏差と呼ぶ場合において、
前記バランス判定手段は、各々の前記輝度偏差の差分が許容範囲内である場合に前記バランスが適正であると判定し、
複数の前記表示部のうち、同一カテゴリの表示内容を表示する表示部どうしに対する前記許容範囲は、異なるカテゴリの表示内容を表示する表示部どうしに対する前記許容範囲よりも狭い範囲に設定されていることを特徴とする照明検査装置。
【発明の詳細な説明】
【技術分野】
【０００１】
本発明は、異なる光源により照明される複数の表示部を有する表示装置を検査対象とした、照明検査装置に関する。
【背景技術】
【０００２】
この種の表示装置の一例として車両用のメータが挙げられる。一般的なメータは、各種の異常を警告するための警告表示部や、方向指示器による右折指示を表示する右折表示部、左折指示を表示する左折表示部等を有する。これらの表示部の背面側には、対応する光源がそれぞれ配置されており、表示部は光源により透過照明される。
【０００３】
但し、光源の輝度ばらつきや、表示部の透光率のばらつき等に起因して、表示の明るさ（照明輝度）にばらつきが生じる。そこで従来では、特許文献１に記載の画像処理装置等の計測器を用いて、表示部の各々について照明輝度を計測し、照明輝度が適正範囲内であるか否かを検査していた。
【先行技術文献】
【特許文献】
【０００４】
【特許文献１】特開２００２−６２２１９号公報
【発明の概要】
【発明が解決しようとする課題】
【０００５】
しかしながら、例えば上述した右折表示部および左折表示部に着目すると、互いの照明輝度の差が僅かに生じているだけで、視認者に大きな違和感を与えてしまう。この場合、表示装置としては輝度バランスの悪い不適正品であるにも拘らず、各々の照明輝度としては適正範囲内であるため、検査結果は「適正品」となる。
【０００６】
これに対し、適正範囲を狭く設定すれば上述のような誤検査を回避できるものの、その背反として以下の問題が生じる。すなわち、例えば上述した警告表示部および左折表示部に着目すると、互いの照明輝度に差が僅かに生じているだけでは、視認者に違和感を与えることはない。したがって、表示装置としては輝度バランスの良い適正品であるにも拘らず、適正範囲を狭く設定するが故に照明輝度が適正範囲から外れ、検査結果は「不適正品」となる場合がある。
【０００７】
したがって、照明輝度が適正範囲内であるかを検査するだけの従来手法では、誤った検査結果を招くおそれがある。
【０００８】
本発明は、上記問題を鑑みてなされたもので、その目的は、検査の適正化向上を図った照明検査装置を提供することにある。
【課題を解決するための手段】
【０００９】
ここに開示される発明は上記目的を達成するために以下の技術的手段を採用する。なお、特許請求の範囲およびこの項に記載した括弧内の符号は、後述する実施形態に記載の具体的手段との対応関係を示すものであって、発明の技術的範囲を限定するものではない。
【００１０】
開示される第１の発明は、複数の光源（２１、２２、２３、２４）、および各々の光源により照明される複数の表示部（Ａ１、Ａ２、Ａ３、Ａ４）を有する表示装置（１０）を検査対象とする照明検査装置において、各々の表示部について、照明輝度が適正範囲内であるか否かを判定する輝度判定手段（Ｓ２０）と、各々の照明輝度の互いのバランスが適正であるか否かを判定するバランス判定手段（Ｓ４０、Ｓ５０、Ｓ６０）と、を備え、複数の表示部のうち、同一カテゴリの表示内容を表示する表示部どうしでは適正範囲は同じ範囲に設定され、異なるカテゴリの表示内容を表示する表示部どうしでは適正範囲は異なる範囲に設定され、バランス判定手段は、照明輝度の測定値（Ｄ１、Ｄ２、Ｄ３、Ｄ４）を補正し、補正後の測定値（Ｄ１ｃ、Ｄ２ｃ、Ｄ３ｃ、Ｄ４ｃ）のばらつきが許容未満である場合に、バランスが適正であると判定し、さらにバランス判定手段は、適正範囲の中央値が高輝度に設定されている測定値に対しては補正の量を大きく設定して、測定値を小さくするように補正することで、補正の量を、適正範囲に応じて異なる量に設定することを特徴とする。
開示される第２の発明は、複数の光源（２１、２２、２３、２４）、および各々の光源により照明される複数の表示部（Ａ１、Ａ２、Ａ３、Ａ４）を有する表示装置（１０）を検査対象とする照明検査装置において、各々の表示部について、照明輝度が適正範囲内であるか否かを判定する輝度判定手段（Ｓ２０）と、各々の照明輝度の互いのバランスが適正であるか否かを判定するバランス判定手段（Ｓ６１、Ｓ６２）と、を備え、各々の照明輝度の目標値に対する偏差を輝度偏差と呼ぶ場合において、バランス判定手段は、各々の輝度偏差の差分が許容範囲内である場合にバランスが適正であると判定し、複数の表示部のうち、同一カテゴリの表示内容を表示する表示部どうしに対する許容範囲は、異なるカテゴリの表示内容を表示する表示部どうしに対する許容範囲よりも狭い範囲に設定されていることを特徴とする。
【００１１】
これら第１および第２の発明によれば、輝度判定手段を備えるので、複数の表示部の各々について適正範囲内の輝度で照明されているか否かが検査される。加えて、上記発明はバランス判定手段を備えるので、複数の表示部について、互いの輝度バランスが適正であるか否かが検査される。よって、輝度バランスが悪いにも拘らず、照明輝度が適正範囲内であるが故に「適正品」との検査結果になることを抑制できる。また、輝度バランスが良好であるにも拘らず、適正範囲を過剰に狭く設定するが故に「不適正品」との検査結果になることを抑制できる。
【図面の簡単な説明】
【００１２】
【図１】本発明の第１実施形態において、照明検査装置による検査対象となる表示装置の正面図。
【図２】図１のＩＩ−ＩＩ断面図。
【図３】第１実施形態に係る照明検査装置を示す模式図。
【図４】第１実施形態における検査手順を示すフローチャート。
【図５】第１実施形態における検査手法を説明する図。
【図６】本発明の第２実施形態における検査手順を示すフローチャート。
【発明を実施するための形態】
【００１３】
以下、本発明にかかる照明検査装置を、車両用の表示装置を検査対象とした場合の各実施形態について、図面を参照しつつ説明する。各形態において、先行する形態で説明した事項に対応する部分には同一の参照符号を付して重複する説明を省略する場合がある。各形態において、構成の一部のみを説明している場合は、構成の他の部分については先行して説明した他の形態を参照し適用することができる。
【００１４】
（第１実施形態）
図１に示す表示装置１０は、車両のインストルメントパネルに搭載されており、車両の各種状態を表示する複数の表示部Ａ１、Ａ２、Ａ３、Ａ４、Ａ５、Ａ６、Ａ７を有する。複数の表示部Ａ１〜Ａ７のうちの第１表示部Ａ１は、ブレーキ操作が為されている場合に点灯表示する。第２表示部Ａ２は、方向指示器による左折指示が操作されている場合に点滅表示する。第３表示部Ａ３は、方向指示器による右折指示が操作されている場合に点滅表示する。第４表示部Ａ４は、シートベルトの着用が為されていない場合に点灯表示する。第５表示部Ａ５は車速メータの背景を表示する。第６表示部Ａ６はタコメータの背景を表示する。第７表示部Ａ７は燃料残量メータの背景を表示する。
【００１５】
要するに、第１表示部Ａ１および第４表示部Ａ４は、車両の異常を警告する警告表示部として機能する。第２表示部Ａ２および第３表示部Ａ３は、方向指示器の操作内容を表示する方向表示部として機能する。第４表示部Ａ４、第５表示部Ａ５および第６表示部Ａ６は、メータの背景表示部として機能する。
【００１６】
図２に示すように、表示装置１０は、ケース１１、基板１２、表示板１３およびカバー１４等を備える。ケース１１は、基板１２および表示板１３を内部に収容する。ケース１１の開口部はカバー１４により覆われている。なお、図１ではカバー１４の図示を省略している。
【００１７】
基板１２は、表示板１３の背面側に平行に配置されている。表示板１３には、先述した表示部Ａ１〜Ａ７が形成されている。具体的には、透光領域および不透光領域を表示板１３が有しており、透光領域を所望の形状に形成することで、各々の表示部Ａ１〜Ａ７が所望の形状に透過照明される。
【００１８】
具体的には、透光性を有する樹脂板に不透光性の塗料を印刷することで不透光領域を形成し、印刷されていない部分が透光領域として形成される。例えば第２表示部Ａ２は、左側を向く矢印の形状に透光領域が形成され、この透光領域が透過照明されることで、左側を向く矢印の第２表示部Ａ２が不透光領域の中に光って視認される。例えば第５表示部Ａ５は、指針３２に指し示される目盛りおよび数字を表わす形状に透過領域が形成され、これらの目盛りおよび数字が透過照明される。
【００１９】
基板１２には、複数の光源２１、２２、２３、２４、２５、２６、２７、マイクロコンピュータ（マイコン２８）および電動式のモータ３０等が実装されている。複数の光源２１〜２７のうちの第１光源２１、第２光源２２、第３光源２３および第４光源２４の各々は、第１表示部Ａ１、第２表示部Ａ２、第３表示部Ａ３、第４表示部Ａ４に対向する位置に配置されて、各々の表示部を透過照明する。表示板１３と基板１２の間には遮光板４１、４２が配置されている。遮光板４２は、第１光源２１から射出された光が、第２表示部Ａ２に漏れることを防止する。要するに遮光板４１、４２は、隣の表示部への漏光を防止する。
【００２０】
モータ３０に固定された回転軸３１には指針３２が取り付けられている。マイコン２８は、モータ３０の作動を制御することで指針３２の回転位置を制御し、ひいては、メータの表示内容を制御する。表示板１３のうち、第５表示部Ａ５、第６表示部Ａ６および第７表示部Ａ７の背面側（視認者の反対側）の部分には、拡散板４３が設けられている。
【００２１】
第５光源２５、第６光源２６および第７光源２７の各々は、第５表示部Ａ５、第６表示部Ａ６、第７表示部Ａ７に対向する位置に配置されて、各々の表示部を透過照明する。第１光源２１、第２光源２２、第３光源２３および第４光源２４の各々は、各表示部Ａ１〜Ａ４に対して一つずつ備えられている。これに対し、第５光源２５、第６光源２６および第７光源２７の各々は、各表示部Ａ５〜Ａ７に対して複数備えられている。第５光源２５、第６光源２６および第７光源２７から射出された光は、拡散板４３により拡散され、表示部Ａ５〜Ａ７を均一に透過照明する。
【００２２】
図３に示す照明検査装置９０は、電子制御装置９１、カメラ９２および作業台９３を備える。作業台９３の内部には撮影スペースが形成されている。撮影スペースにはカメラ９２が設置されている。検査対象となる表示装置１０は、検査の作業者Ｐにより撮影スペースに設置される。カメラ９２は、光源２１〜２７が点灯した状態の表示装置１０を正面から撮影する。電子制御装置９１が備えるマイクロコンピュータ（マイコン９１ａ）は、カメラ９２により撮影された画像に基づき、表示装置１０の照明輝度が正常であるか否かを検査する。
【００２３】
具体的には、マイコン９１ａが図４に示す処理を実行することで、表示装置１０の照明輝度が、次のように検査される。この検査を実行するに先立ち、作業者Ｐは以下の準備作業を実施する。すなわち、作業者Ｐは表示装置１０を撮影スペースに設置し、図示しないツールを用いてマイコン２８へ点灯指令信号を送信する。点灯指令信号は、全ての光源２１〜２７を点灯させるように指令する信号である。これらの準備作業が完了した後、作業者Ｐが照明検査装置９０の作動を開始させると、マイコン９１ａは図４の処理を開始する。図４の処理手順は、マイコン９１ａが実行する照明検査の方法を表しているとも言える。
【００２４】
先ず、図４のステップＳ１０では、表示板１３の各部位（輝度測定部位）の照明輝度を測定する。具体的には、カメラ９２が表示装置１０を正面から撮影し、該撮影により取得された画像を解析することで照明輝度を測定する。表示板１３のうち表示部Ａ１〜Ａ７の部分が輝度測定部位として設定されている。詳細には、第１表示部Ａ１、第２表示部Ａ２、第３表示部Ａ３、第４表示部Ａ４の中央部分が輝度測定部位に相当する。第５表示部Ａ５、第６表示部Ａ６および第７表示部Ａ７の場合、これら表示部Ａ５〜Ａ７の領域内の複数箇所に、輝度測定部位が設定される。
【００２５】
例えば図１に示す符号Ａ６１、Ａ６２、Ａ６３、Ａ６４は、第６表示部Ａ６の領域内に設定された、複数の輝度測定部位を示す。これらの輝度測定部位Ａ６１、Ａ６２、Ａ６３、Ａ６４は、等間隔で同心円状に設定されている。輝度測定部位Ａ６１、Ａ６２、Ａ６３、Ａ６４は、正面視において光源２６と重なる部位でもよいし、複数の光源２６の中間に位置する部位でもよい。
【００２６】
続くステップＳ２０では、ステップＳ１０で測定した照明輝度（測定値）の各々について、適正範囲内の値であるか否かを判定する。表示部Ａ５〜Ａ７の領域内の複数箇所に輝度測定部位が設定されている場合、これらの輝度測定部位に対する適正範囲は同じ範囲に設定されている。ステップＳ２０を実行している時のマイコン９１ａは、各々の表示部Ａ１〜Ａ７について照明輝度が適正範囲内であるか否かを判定する輝度判定手段として機能する。
【００２７】
第２表示部Ａ２および第３表示部Ａ３は、先述した方向表示部として同じ機能を有するので、同一カテゴリの表示内容を表示していると言える。また、第１表示部Ａ１および第４表示部Ａ４は、先述した警告表示部として同じ機能を有するので、同一カテゴリの表示内容を表示していると言える。同一カテゴリの表示部どうしでは、上述した適正範囲は同じ範囲に設定されており、異なるカテゴリの表示部どうしでは、適正範囲は異なる範囲に設定されている。例えば、警告表示部の適正範囲は、方向表示部の適正範囲よりも高輝度の範囲となるように設定されている。
【００２８】
図５中の符号Ｄ１、Ｄ２、Ｄ３、Ｄ４は、第１表示部Ａ１、第２表示部Ａ２、第３表示部Ａ３および第４表示部Ａ４の各々における測定値を示す。図５中の符号ＴＨ１ａ、ＴＨ２ａ、ＴＨ３ａ、ＴＨ４ａは、第１表示部Ａ１、第２表示部Ａ２、第３表示部Ａ３および第４表示部Ａ４の各々に設定された、適正範囲の上限値を示す。図５中の符号ＴＨ１ｂ、ＴＨ２ｂ、ＴＨ３ｂ、ＴＨ４ｂは、第１表示部Ａ１、第２表示部Ａ２、第３表示部Ａ３および第４表示部Ａ４の各々に設定された、適正範囲の下限値を示す。
【００２９】
ステップＳ２０にて、全ての輝度測定部位の測定値が適正範囲内でないと判定された場合、次のステップＳ３０において、輝度異常フラグをオンに設定する。この場合、照明検査装置９０が有する報知装置を作動させ、適正範囲内の照明輝度が発揮されていない旨を、ランプ表示や音声により作業者Ｐへ報知する。一方、ステップＳ２０にて、全ての輝度測定部位の測定値が適正範囲内であると判定された場合、次のステップＳ４０において、測定値を補正する。図５中の符号Ｃ１、Ｃ２、Ｃ３、Ｃ４は、第１表示部Ａ１、第２表示部Ａ２、第３表示部Ａ３および第４表示部Ａ４の各々における補正量を示す。図５中の符号Ｄ１ｃ、Ｄ２ｃ、Ｄ３ｃ、Ｄ４ｃは、補正後の測定値を示す。
【００３０】
補正量Ｃ１〜Ｃ４は、測定部位毎の所定値に予め設定されている。適正範囲の中央値が高輝度に設定されている測定値に対しては補正量を大きく設定して、測定値を小さくするように補正する。例えば、警告表示部に対する補正量は、方向表示部に対する補正量よりも大きい値に設定されている。
【００３１】
続くステップＳ５０では、補正後の測定値Ｄ１ｃ〜Ｄ４ｃの最大値と最小値の差分ΔＤを算出する。続くステップＳ６０では、算出した差分ΔＤが許容値ＴＨｃ未満であるか否かを判定する。許容値ＴＨｃ未満と判定された場合、次のステップＳ７０において正常フラグをオンに設定する。この場合、検査対象となっている表示装置１０が正常品である旨を、ランプ表示や音声により作業者Ｐへ報知する。一方、ステップＳ６０にて、差分ΔＤが許容値ＴＨｃ未満ではないと判定された場合、次のステップＳ８０において、輝度バランス異常フラグをオンに設定する。この場合、輝度測定部位どうしの輝度バランスが許容を超えて悪くなっている旨を、ランプ表示や音声により作業者Ｐへ報知する。
【００３２】
以下の説明では、適正範囲の中央値が照明器度の目標値と呼び、各々の照明輝度（測定値）の目標値に対する偏差を輝度偏差と呼ぶ。全ての測定値が目標値に対して低輝度側に偏っていれば、各々の測定値の偏差が大きい場合であっても差分ΔＤは大きくならないので、輝度バランスは適正であるとの検査結果になる。一方、低輝度側に偏差している測定値と、高輝度側に偏差している測定値とが混在している場合には、偏差が小さい場合であっても差分ΔＤは大きくなる場合があるので、輝度バランスが適正でないとの検査結果になる。
【００３３】
要するに、ステップＳ４０により測定値を補正し、ステップＳ５０、Ｓ６０により補正後の測定値のばらつき（差分ΔＤ）が許容値ＴＨｃ未満であればバランスが適正であると判定する。したがって、これらの処理は、上述した偏差（輝度偏差）のうち最大値と最小値の差が所定値（許容値ＴＨｃ）未満である場合に、複数の表示部Ａ１〜Ａ７の全てについて照明輝度のバランスが適正であると判定していると言える。ステップＳ４０、Ｓ５０、Ｓ６０を実行している時のマイコン９１ａは、各々の照明輝度の互いのバランスが適正であるか否かを判定するバランス判定手段として機能する。
【００３４】
以上により、本実施形態に係る照明検査装置９０は輝度判定手段を備えるので、複数の表示部Ａ１〜Ａ７の各々について適正範囲内の輝度で照明されているか否かが検査される。加えて、上記照明検査装置９０はバランス判定手段を備えるので、複数の表示部Ａ１〜Ａ７について、互いの輝度バランスが適正であるか否かが検査される。
【００３５】
よって、輝度バランスが悪いにも拘らず、照明輝度が適正範囲内であるが故に「適正品」との検査結果になることを抑制できる。また、輝度バランスが良好であるにも拘らず、適正範囲を過剰に狭く設定するが故に「不適正品」との検査結果になることを抑制できる。換言すれば、輝度検査に加えて輝度バランス検査が実施されるので、輝度検査で用いる適正範囲を広く設定しつつも、輝度バランスが悪い表示装置１０に対しては異常判定できる。そして、このような輝度バランス判定および輝度判定を定量的に検査することを実現でき、作業者Ｐが官能的に目視検査することを廃止できる。
【００３６】
さらに、本実施形態に係る照明検査装置は、複数の輝度偏差のうち最大値と最小値の差が許容値ＴＨｃ未満である場合に、複数の表示部Ａ１〜Ａ７の全てについて輝度バランスが適正であると判定する。そのため、表示部Ａ１〜Ａ７の各々について１つずつ他の表示部と輝度バランスを判定する場合に比べて、バランス判定回数を低減できる。よって、マイコン９１ａの処理負荷を軽減できる。
【００３７】
（第２実施形態）
図４に示す第１実施形態では、ステップＳ４０、Ｓ５０、Ｓ６０の処理によりバランス判定手段を実現させており、測定された照明輝度（測定値）の各々の輝度バランスについて、全ての測定値を同時に検査している。これに対し、図６に示す本実施形態では、ステップＳ６１、Ｓ６２の処理によりバランス判定手段を実現させており、同一カテゴリどうしの輝度バランスと異なるカテゴリどうしの輝度バランスとを区別して検査している。
【００３８】
具体的には、図６のステップＳ２０にて適正範囲内であると正常判定された場合、次のステップＳ６１において、異なるカテゴリの表示内容である表示部の輝度偏差どうしを比較し、これらの差分が第１許容値ＴＨ１未満であるか否かを判定する。例えば、第１表示部Ａ１は、第４表示部Ａ４以外の表示部とカテゴリが異なる。そのため、第１表示部Ａ１に係る輝度偏差と、第４表示部Ａ４以外の表示部に係る輝度偏差との差分を算出する。そして、これらの差分の各々について、第１許容値ＴＨ１未満であるか否かを判定する。
【００３９】
続くステップＳ６２では、同一カテゴリの表示内容である表示部の輝度偏差どうしを比較し、これらの差分が第２許容値ＴＨ２未満であるか否かを判定する。例えば、第１表示部Ａ１は、第４表示部Ａ４の表示部とカテゴリが同じである。そのため、第１表示部Ａ１に係る輝度偏差と、第４表示部Ａ４に係る輝度偏差との差分を算出する。そして、この差分が第２許容値ＴＨ２未満であるか否かを判定する。第２許容値ＴＨ２は、第１許容値ＴＨ１よりも小さい値に設定されている。
【００４０】
ステップＳ６１、Ｓ６２のいずれか一方にて否定判定されれば、ステップＳ８０にて輝度バランス異常フラグをオンに設定する。ステップＳ６１、Ｓ６２の両方において、輝度偏差の差分が第１許容値ＴＨ１または第２許容値ＴＨ２未満であると判定されれば、ステップＳ７０にて正常フラグをオンに設定する。
【００４１】
以上により、ステップＳ６１、Ｓ６２は、各々の輝度偏差の差分が許容範囲内である場合に輝度バランスが適正であると判定すると言える。ステップＳ６１、Ｓ６２を実行している時のマイコン９１ａは、各々の照明輝度の互いのバランスが適正であるか否かを判定するバランス判定手段として機能する。そして、複数の表示部Ａ１〜Ａ７のうち、同一カテゴリの表示内容を表示する表示部どうしに対する許容範囲（第２許容値ＴＨ２）は、異なるカテゴリの表示内容を表示する表示部どうしに対する許容範囲（第１許容値ＴＨ１）よりも狭い範囲に設定されている。
【００４２】
ここで、同一カテゴリの表示部どうしの場合、互いの表示輝度が僅かにずれているだけで違和感を与えることとなる。例えば、方向表示部として機能する第２表示部Ａ２と第３表示部Ａ３とでは、表示輝度が僅かに異なるだけで違和感を与える。また、背景表示部として機能する第６表示部Ａ６内の複数の輝度測定部位Ａ６１、Ａ６２、Ａ６３、Ａ６４どうしでは、表示輝度が僅かに異なるだけで違和感を与える。一方、異なるカテゴリの表示部どうしの場合、互いの表示輝度が僅かにずれているだけでは違和感を与えない。例えば、警告表示部として機能する第１表示部Ａ１と、方向表示部として機能する第２表示部Ａ２とでは、表示輝度が多少異なっていても違和感を与えることはなく、目立たない。
【００４３】
これらの点を鑑みた本実施形態では、複数の表示部Ａ１〜Ａ７のうち、同一カテゴリどうしに対する輝度バランスの許容範囲は、異なるカテゴリどうしに対する輝度バランスの許容範囲よりも狭い範囲に設定されている。そのため、同一カテゴリの表示部どうしについて、表示輝度のずれによる違和感を抑制できる。それでいて、異なるカテゴリの表示部どうしについては許容範囲が広く設定されているので、適正品であるにも拘らず不適正品と判定する機会を減少できる。
【００４４】
（他の実施形態）
以上、発明の好ましい実施形態について説明したが、発明は上述した実施形態に何ら制限されることなく、以下に例示するように種々変形して実施することが可能である。各実施形態で具体的に組合せが可能であることを明示している部分同士の組合せばかりではなく、特に組合せに支障が生じなければ、明示してなくとも実施形態同士を部分的に組み合せることも可能である。
【００４５】
電子制御装置９１が提供する手段および／または機能は、実体的な記憶媒体に記録されたソフトウェアおよびそれを実行するコンピュータ、ソフトウェアのみ、ハードウェアのみ、あるいはそれらの組合せによって提供することができる。例えば、制御装置がハードウェアである回路によって提供される場合、それは多数の論理回路を含むデジタル回路、またはアナログ回路によって提供することができる。
【００４６】
上記第２実施形態に係るステップＳ６１、Ｓ６２の各々を、図４のステップＳ４０、Ｓ５０、Ｓ６０に置き換えて検査してもよい。すなわち、異なるカテゴリの表示部どうしに対して、図４のステップＳ４０、Ｓ５０、Ｓ６０の処理を実施して輝度バランス異常が生じているか否かを検査する。また、同一カテゴリの表示部どうしに対しても、図４のステップＳ４０、Ｓ５０、Ｓ６０の処理を実施する。
【００４７】
上記各実施形態のステップＳ１０では、全ての光源２１〜２７を同時に点灯させて、画像解析により照明輝度を測定している。これに対し、光源２１〜２７を１つずつ点灯させて測定してもよいし、同一カテゴリの表示部に対応する光源を複数同時に点灯させて測定してもよい。また、画像解析による照明輝度の測定に換えて、輝度計を用いて照明輝度を測定してもよい。
【００４８】
上記各実施形態では、検査の準備作業として、作業者Ｐが光源２１〜２７を手動で点灯させている。これに対し、照明検査装置９０が備える電子制御装置９１が、表示装置１０のマイコン２８に点灯指令の信号を出力することで、光源２１〜２７を自動で点灯させてもよい。
【００４９】
上記各実施形態では、車両の運転状態を表示するメータを有した表示装置１０を照明検査装置９０による検査対象としているが、メータ以外の表示装置を検査対象としてもよい。また、上記各実施形態では、車両に搭載される表示装置１０を検査対象としているが、検査対象となる表示装置は、車両に搭載されたものに限らない。
【符号の説明】
【００５０】
１０…表示装置、２１…第１光源、２２…第２光源、２３…第３光源、２４…第４光源、９０…照明検査装置、Ａ１…第１表示部、Ａ２…第２表示部、Ａ３…第３表示部、Ａ４…第４表示部、Ｓ２０…輝度判定手段、Ｓ４０、Ｓ５０、Ｓ６０、Ｓ６１、Ｓ６２…バランス判定手段。
【図１】
0006406016.tif 000002
【図２】
0006406016.tif 000003
【図３】
0006406016.tif 000004
【図４】
0006406016.tif 000005
【図５】
0006406016.tif 000006
【図６】
0006406016.tif 000007